(57)【要約】      （修正有）【課題】スタータに電力を供給する第１の蓄電池の充電不足を無くしてエンジンの始動不良の発生を抑制することができる車両用電池システムを提供する。【解決手段】エンジンを備える車両に搭載される第１及び第２の蓄電池を備える車両用電池システムに関し、第１の蓄電池１１の充電率が充電開始閾値以下であり且つ発電余裕が無い場合には、第２の蓄電池１２の内部開閉手段２４を開状態に制御する。【選択図】図３
2015150956.tif 000002
【特許請求の範囲】
【請求項１】
エンジンを始動するためのスタータに電力を供給する第１の蓄電池と、
前記第１の蓄電池と並列に接続されるとともに、前記第１の蓄電池との接続状態を切り替える内部開閉手段を有する第２の蓄電池と、
前記第１及び第２の蓄電池に接続され、前記エンジンの駆動により発電するオルタネータと、
を備える車両用電池システムであって、
前記第１の蓄電池の充電状態を検出する充電状態検出手段と、
前記充電状態検出手段の検出結果に基づいて前記オルタネータの発電状態及び前記内部開閉手段の開閉状態を制御する充電制御手段と、
前記オルタネータの発電余裕の有無を判定する発電余裕判定手段と、を有し、
前記充電制御手段は、
前記充電状態検出手段によって前記第１の蓄電池の充電率が所定の充電開始閾値以下であることが検出され、更に前記発電余裕判定手段によって前記発電余裕が無いと判定された場合には、前記内部開閉手段を開状態に制御することを特徴とする車両用電池システム。
【請求項２】
請求項１に記載の車両用電池システムにおいて、
前記充電制御手段は、前記内部開閉手段を開状態に制御した後、前記充電状態検出手段によって前記第１の蓄電池の充電率が前記充電開始閾値よりも高い所定の充電終了閾値以上となったことが検出されると前記内部開閉手段を閉状態に制御することを特徴とする車両用電池システム。
【請求項３】
請求項１又は２に記載の車両用電池システムにおいて、
前記スタータ及び前記第１の蓄電池を含む第１の電気回路と、前記第２の蓄電池を含む第２の電気回路とを接続する接続配線に、前記第２の電気回路側から前記第１の電気回路側への電気の流れを遮断可能な外部開閉手段をさらに備えていることを特徴とする車両用電池システム。
【発明の詳細な説明】
【技術分野】
【０００１】
本発明は、エンジンを備える車両に搭載される第１及び第２の蓄電池を備える車両用電池システムに関し、特に、オルタネータの発電による第１及び第２の蓄電池の充電に関する。
【背景技術】
【０００２】
自動車等の車両には、ヘッドライト、スモールライト、ブレーキランプ、室内灯等のランプ類や、パワーウィンドウ、ワイパー、空調機器やラジエータのファン等の駆動モータ、エンジンの始動時のスタータ、オーディオ、ナビゲーション装置等の各種電気機器（電気負荷）が搭載されている。そして、これらの電気負荷により消費される電力は、充放電可能な蓄電池により供給されている。また車両には、エンジンにより駆動されるオルタネータ（発電機）が備えられており、蓄電池はこのオルタネータによって発電した電力により適宜充電されるようになっている。
【０００３】
また近年は、電気負荷の増加や、車両の燃費向上を図るために、複数の蓄電池を搭載した車両が実用化されてきている。例えば、エンジンを始動させるためのスタータを含む電気負荷に電力を供給するための鉛電池である第１の蓄電池と、第１の蓄電池とは並列に接続された第２の蓄電池と、を備えるようにしたものがある。
【０００４】
このような第１の蓄電池と第２の蓄電池とを備えた車両用電池システムでは、第１及び第２の蓄電池の充電が同時に行われることがある。具体的には、例えば、オルタネータ及び鉛蓄電池（第１の蓄電池）と、リチウムイオン蓄電池（第２の蓄電池）とを接続する接続配線にリレーなどの開閉手段を配置し、開閉手段の開閉により、第２の蓄電池からの充電や放電を制御している（特許文献１参照）。
【先行技術文献】
【特許文献】
【０００５】
【特許文献１】特開２０１３−１９８３１８号公報
【発明の概要】
【発明が解決しようとする課題】
【０００６】
上述のように第１の蓄電池と第２の蓄電池とを同時に充電しようとすると、第１及び第２の蓄電池を十分に充電することができず、各蓄電池の充電量が極端に低下してしまう虞がある。例えば、アイドリング中に電気負荷により消費される電力が比較的大きい状況等においては、オルタネータの発電余裕が少なく、各蓄電池を充電することができない虞がある。
【０００７】
そして、第１の蓄電池の充電量が極端に低下してしまうと、その後にエンジンを始動する際、スタータを良好に作動させることができず、エンジンの始動不良を引き起こす虞がある。
【０００８】
本発明は、このような事情に鑑みてなされたものであり、第１の蓄電池の充電不足を無くしてエンジンの始動不良の発生を抑制することができる車両用電池システムを提供することを目的とする。
【課題を解決するための手段】
【０００９】
上記課題を解決する本発明の第１の態様は、エンジンを始動するためのスタータに電力を供給する第１の蓄電池と、前記第１の蓄電池と並列に接続されるとともに、前記第１の蓄電池との接続状態を切り替える内部開閉手段を有する第２の蓄電池と、前記第１及び第２の蓄電池に接続され、前記エンジンの駆動により発電するオルタネータと、を備える車両用電池システムであって、前記第１の蓄電池の充電状態を検出する充電状態検出手段と、前記充電状態検出手段の検出結果に基づいて前記オルタネータの発電状態及び前記内部開閉手段の開閉状態を制御する充電制御手段と、前記オルタネータの発電余裕の有無を判定する発電余裕判定手段と、を有し、前記充電制御手段は、前記充電状態検出手段によって前記第１の蓄電池の充電率が所定の充電開始閾値以下であることが検出され、更に前記発電余裕判定手段によって前記発電余裕が無いと判定された場合には、前記内部開閉手段を開状態に制御することを特徴とする車両用電池システムにある。
【００１０】
かかる第１の態様では、第１の蓄電池の充電不足の発生を抑制でき、エンジンを始動する際に、スタータを良好に駆動させることができる。
【００１１】
本発明の第２の態様は、第１の態様の車両用電池システムにおいて、前記充電制御手段は、前記内部開閉手段を開状態に制御した後、前記充電状態検出手段によって前記第１の蓄電池の充電率が前記充電開始閾値よりも高い所定の充電終了閾値以上となったことが検出されると前記内部開閉手段を閉状態に制御することを特徴とする車両用電池システムにある。
【００１２】
かかる第２の態様では、内部開閉手段の操作回数を極力少なく抑えることができる。
【００１３】
本発明の第３の態様は、第１又は２の態様の車両用電池システムにおいて、前記スタータ及び前記第１の蓄電池を含む第１の電気回路と、前記第２の蓄電池を含む第２の電気回路とを接続する接続配線に、前記第２の電気回路側から前記第１の電気回路側への電気の流れを遮断可能な外部開閉手段をさらに備えていることを特徴とする車両用電池システムにある。
【００１４】
かかる第３の態様では、外部開閉手段ユニットによって第２の電気回路側から第１の電気回路側への電気の流れが遮断された状態でエンジンを始動する場合でも、スタータを良好に作動させることができ、エンジンの始動不良の発生を抑制することができる。
【発明の効果】
【００１５】
かかる本発明では、第１の蓄電池の充電量の極端な低下を抑制することができる。したがって、第１の蓄電池からの電力供給によってスタータを常に良好に作動させることができ、エンジンの始動不良の発生を抑制することができる。
【図面の簡単な説明】
【００１６】
【図１】本発明の一実施形態に係る車両用電池システムの構成を示す図である。
【図２】本発明の一実施形態に係る車両用電池システムの構成を示す図である。
【図３】本発明の一実施形態に係る車両用電池システムの構成を示す図である。
【発明を実施するための形態】
【００１７】
以下、本発明の一実施形態に係る車両用電池システムについて、図面を参照して詳細に説明する。
【００１８】
図１に示すように、本実施形態に係る車両用電池システム１０は、車両に搭載されている各種電気負荷に電力供給するものであり、第１の蓄電池１１及び第２の蓄電池１２の２つの蓄電池を備えている。第１の蓄電池１１は鉛電池で構成され、第２の蓄電池１２は、ニッケル水素電池、或いはリチウムイオン電池等で構成される。本実施形態に係る第２の蓄電池１２は、電池セルユニット１３を備え、図示は省略するが、この電池セルユニット１３は、複数個、例えば、１０個程度の電池セル（ニッケル水素電池）が直列に接続されて構成されている。
【００１９】
これら第１の蓄電池１１と第２の蓄電池１２とは並列に接続されている。具体的には、車両用電池システム１０は、第１の蓄電池１１を含む第１の電気回路１４と、第２の蓄電池１２を含む第２の電気回路１５と、を有し、これら第１の電気回路１４と、第２の電気回路１５とは接続配線１６を介して接続されている。
【００２０】
第１の電気回路１４には、第１の蓄電池１１と共に、エンジン１７により駆動されて発電するオルタネータ（発電機）１８と、エンジン１７を始動させるためのスタータ１９と、第１の電気負荷２０とを並列に接続することで構成されている。また第１の電気回路１４には、第１の蓄電池１１の充電状態、例えば、充電率（ＳＯＣ）や温度等を検出するバッテリセンサ（第１の充電状態検出手段）２１が設けられている。なお第１の電気負荷２０とは、エンジン１７の始動時に再起動が行われても構わない電気負荷、すなわち車両の走行中に電力が供給されれば問題ない電気負荷であり、例えば、車両のヘッドランプやヒータ等が挙げられる。
【００２１】
一方、第２の電気回路１５は、第２の蓄電池１２と、第２の電気負荷２２とを並列に接続することで構成されている。第２の電気負荷２２とは、第１の電気負荷２０とは逆に、エンジン１７の始動時に再起動が行われない方が好ましい電気負荷であり、例えば、カーナビゲーション装置や、オーディオ等が挙げられる。なお各種電気負荷の第１の電気負荷２０と第２の電気負荷２２との切り分けは、上述したものに限定されず、必要に応じて適宜設定されればよい。
【００２２】
そして、このような第１の電気回路１４と第２の電気回路１５とを接続する接続配線１６には、第２の電気回路１５側から第１の電気回路１４側への電気の流れを遮断可能な外部リレーユニット（外部開閉手段）２３が設けられている。外部リレーユニット２３は、スイッチ部２３ａと共に、ダイオードで構成される整流部２３ｂを備えている。
【００２３】
図１に示すようにスイッチ部２３ａが閉状態（接続状態）である場合には、第１の蓄電池１１及び第２の蓄電池１２の充電状態やオルタネータ１８の発電状態、第１及び第２の電気負荷２０，２２で消費される消費電力量等に応じて、第１の電気回路１４側から第２の電気回路１５側への電気の流れも、第２の電気回路１５側から第１の電気回路１４側への電気の流れも生じ得る。すなわち、第１の蓄電池１１或いはオルタネータ１８から第２の電気負荷２２に電力が供給されることもあるし、第２の蓄電池１２から第１の電気負荷２０に電力が供給されることもある。
【００２４】
例えば、エンジン１７が運転中で第２の蓄電池１２の充電量が十分であるときには、スイッチ部２３ａは閉状態に制御される。この状態では、第１の蓄電池１１だけでなく第２の蓄電池１２からも第１の電気負荷２０に対して電力が供給される。これにより、オルタネータ１８の発電量を抑制でき、それに伴い燃費の向上を図ることがきる。
【００２５】
一方、図２に示すように、スイッチ部２３ａが開状態（切断状態）である場合、第２の電気回路１５側から第１の電気回路１４側への電気の流れのみが遮断される。すなわち外部リレーユニット２３が備える整流部２３ｂによって、図中矢印で示すように第１の電気回路１４側から第２の電気回路１５側への電気の流れが維持される。したがって、この状態では、第１の蓄電池１１或いはオルタネータ１８から第２の電気負荷２２に対して電力が供給されることはあるが、第２の蓄電池１２から第１の電気負荷２０に電力が供給されることはない。
【００２６】
さらに、第２の蓄電池１２は、例えば、機械式の内部リレー（内部開閉手段）２４を備え、電池セルユニット１３と接続配線１６との接続状態をこの内部リレー２４によって適宜切り替えられるように構成されている。なお、内部開閉手段２４は、機械式リレーの他、半導体リレー等で構成されていてもよい。
【００２７】
これら外部リレーユニット２３及び内部リレー２４は、ＥＣＵ２５からの信号に基づいて、バッテリ制御部（ＢＭＵ）２６によって適宜制御される。なお、このＢＭＵ２６は、第２の蓄電池１２を構成する電池セルユニット１３の充電状態等を検出するバッテリセンサ（第１の充電状態検出手段）や、外部リレーユニット２３及び内部リレー２４を制御するためのコントロールユニット等で構成される。またＢＭＵ２６は、本実施形態では、第２の蓄電池１２が備えているが、第２の蓄電池１２とは別途設けられていてもよい。
【００２８】
ＥＣＵ（電子制御ユニット）２５は、入出力装置、制御プログラムや制御マップ等の記憶を行う記憶装置、中央処理装置及びタイマやカウンタ類を備え、各種センサ類からの情報に基づいて、オルタネータ１８やスタータ１９等を含むエンジン１７の総合的な制御を行うものである。
【００２９】
このＥＣＵ２５は、本実施形態に係る車両用電池システム１０の一部を兼ねている。そしてＥＣＵ２５は、例えば、上述のようにＢＭＵ２６を介して外部リレーユニット２３及び内部リレー２４の開閉状態を制御すると共にオルタネータ１８の発電状態（発電量）を適宜制御する。これにより、各種電気負荷に所望の電力を供給しつつ、第１の蓄電池１１及び第２の蓄電池１２の充電状態（充電率）を適宜制御している。
【００３０】
以下、車両用電池システム１０における蓄電池の充電制御の一例について説明する。
【００３１】
ＥＣＵ２５は、第１の蓄電池１１及び第２の蓄電池１２の充電状態（充電率）を制御するための手段として、充電制御手段２７と、発電余裕判定手段２８と、を備えている。
【００３２】
充電制御手段２７は、第１の蓄電池１１及び第２の蓄電池１２の充電状態（充電率）に応じてオルタネータ１８の発電量を制御して第１の蓄電池１１及び第２の蓄電池１２の充電を実行する。本実施形態では、バッテリセンサ（第１の充電状態検出手段）２１によって第１の蓄電池１１の充電状態が検出され、ＢＭＵ（第２の充電状態検出手段）２６によって第２の蓄電池１２の充電状態が検出される。そして、充電制御手段２７は、これらバッテリセンサ２１及びＢＭＵ２６による検出結果の他、車両の運転状態、環境状態等に基づいて、オルタネータ１８による発電量が所望の値となるようにエンジン１７の駆動を適宜制御する。
【００３３】
充電制御手段２７は、第１の蓄電池１１又は第２の蓄電池１２が放電気味になると、即ち、第１の蓄電池１１又は第２の蓄電池１２の充電率（ＳＯＣ）が充電開始閾値以下になると、オルタネータ１８の発電を開始して第１の蓄電池１１又は第２の蓄電池１２の充電を開始する。そして、充電終了閾値に達した時点でオルタネータ１８の発電を終了する。
【００３４】
なお、上記充電開始閾値及び充電終了閾値は各蓄電池１１，１２の特性等に応じて適宜決定される。本実施形態では、第１の蓄電池１１の充電開始閾値は９０％，充電終了閾値は９５％として設定し、第２の蓄電池１２の充電開始閾値は３０％，充電終了閾値は５０％として設定している。
【００３５】
通常時、充電制御手段２７は、第１の蓄電池１１及び第２の蓄電池１２を充電する際、内部リレー２４を接続状態とする（図１参照）。この状態では、図中に矢印で示すように、オルタネータ１８で発電された電力が第１の蓄電池１１及び第２の蓄電池１２に供給され、各蓄電池１１，１２が同時に充電されることになる。なお、ここでいう「通常時」とは、第１の蓄電池１１及び第２の蓄電池１２のいずれか一方または両方が放電気味、即ち充電開始閾値以下であるが、オルタネータ１８の発電余裕が有る状態を言う。例えば、第１の蓄電池１１の充電率が充電開始閾値（９０％）以下であるが、後述するオルタネータ１８の発電余裕率が所定値以上である状態が「通常時」に相当する。
【００３６】
その後、第１の蓄電池１１又は第２の蓄電池１２の充電率（ＳＯＣ）が充電終了閾値以上となると、エンジン１７によるオルタネータ１８の発電量を抑制し、各蓄電池１１，１２の充電を終了する。
【００３７】
上述のように充電制御手段２７は、通常時には、第１の蓄電池１１及び第２の蓄電池１２の充電状態に応じてオルタネータ１８の発電を制御するが、以下に説明するように、第１の蓄電池１１の充電状態（充電率）及び発電余裕判定手段２８の判定結果によっては、第２の蓄電池１２の内部リレー２４を開状態とする。
【００３８】
発電余裕判定手段２８は、オルタネータ１８の発電余裕の有無を判定する。本実施形態では、オルタネータ１８の発電余裕率が、所定値以下であるか否かを判定する。充電余裕（発電余裕率）とは、オルタネータ１８の発電状態がどの程度余裕を残しているのかを示す値である。具体的には、第１及び第２の電気負荷２０，２２によって消費されている消費電力量と、第１の蓄電池１１及び第２の蓄電池１２を充電するために必要な必要電力量との合計値と、オルタネータ１８の最大発電量との比率である。例えば、上記合計値がオルタネータ１８の最大発電量以上である場合、発電余裕率は０％となる。
【００３９】
なお発電余裕判定手段２８は、オルタネータ１８の発電余裕が有るか無いかを判定するが、ここでいう「発電余裕が無い」とは必ずしも発電余裕率が０％である状態を意味するものではなく、例えば、一時的に発電余裕率が所定値以下であるときや、第１の蓄電池１１及び第２の蓄電池１２を充電するには時間がかかり過ぎる等、両蓄電池１１，１２を充電するほどの余裕がない状態も含むものとする。本実施形態では、発電余裕判定手段２８は、発電余裕率が所定値（例えば、１０％程度）以下である場合に、「発電余裕が無い」と判定する。
【００４０】
そして、充電制御手段２７は、第１の蓄電池１１の充電率が充電開始閾値（９０％）以下であることが検出され、更に発電余裕判定手段２８によって「発電余裕が無い」と判定された場合、すなわち発電余裕率が所定値以下であると判定された場合、図３に示すように、第２の蓄電池１２が備える内部リレー２４を、ＢＭＵ２６を介して制御し、内部リレー２４を開状態（切断状態）とする。これにより、図中矢印で示すように、オルタネータ１８で発電された電力は、第２の蓄電池１２には供給されることなく第１の蓄電池１１に供給される。
【００４１】
これにより、第１の蓄電池１１を効率的に充電することができる。例えば、エンジン１７がアイドリング状態であり、第１の電気負荷２０や第２の電気負荷２２等で消費される消費電力が比較的多い状況であっても、第１の蓄電池１１を確実に充電することができる。したがって、その後にエンジン１７を始動する際に、スタータ１９を良好に駆動させることができ、エンジン１７の始動不良の発生を抑制することができる。
【００４２】
本実施形態に係る車両用電池システム１０においては、エンジン１７を始動する際、安全面から、外部リレーユニット２３のスイッチ部２３ａを切断状態としている（図２参照）。この状態では、上述のように整流部２３ｂを介して第１の電気回路１４側から第２の電気回路１５側への電気の流れは維持されているが、第２の電気回路１５から第１の電気回路１４側への電気の流れは遮断される。したがって、エンジン１７の始動時、スタータ１９は、第１の蓄電池１１から供給される電力のみによって駆動されることになる。このため、第１の蓄電池１１が充電不足であると、スタータ１９を良好に作動させることができない虞がある。
【００４３】
しかしながら、上述のように必要に応じて内部リレー２４を開状態とすることで、第１の蓄電池１１を適切に充電することができ、スタータ１９を良好に作動させることができる。したがって、エンジン１７の始動不良を抑制することができる。
【００４４】
また、このような第１の蓄電池１１の優先的な充電は、第１の蓄電池１１の充電率が充電開始閾値よりも高い充電終了閾値（９５％）以上となると終了して、第２の蓄電池１２の充電を再開する。具体的には、第１の蓄電池１１の充電率が充電終了閾値以上となると、充電制御手段２７は、内部リレー２４を閉状態（接続状態）に制御する。これにより、オルタネータ１８で発電された電力は、第１の蓄電池１１及び第２の蓄電池１２のそれぞれに供給される（図１参照）。
【００４５】
なお、第１の蓄電池１１の優先的な充電は、上述した開始条件（第１の蓄電池１１の充電率及び発電余裕率）を満たさなくなった段階で終了するようにしてもよいが、第１の蓄電池１１の充電率が充電終了閾値以上となった時点で終了するのが好ましい。
【００４６】
開始条件を満たさなくなった段階で第１の蓄電池１１の優先的な充電を終了すると、車両の運転状態によっては、内部リレー２４の開閉操作が頻繁に行われる虞がある。内部リレー２４を開閉する際には、比較的大きい音が発生するため、内部リレー２４の開閉制御が頻繁に行われると、乗員に不快感を与えてしまう虞がある。特に、第２の蓄電池１２が車両のフロア下に配置されている場合には、乗員に不快感を与えやすい。しかしながら、第１の蓄電池１１の充電率が充電終了閾値以上となった時点で終了させることで、第１の蓄電池１１及び第２の蓄電池１２の充電に伴う内部リレー２４の開閉操作回数を極力少なく抑えることができる。
【００４７】
以上、本発明の一実施形態について説明したが、勿論、本発明は、上述の実施形態に限定されるものではなく、その趣旨を逸脱しない範囲で適宜変更が可能なものである。
【符号の説明】
【００４８】
１０  車両用電池システム
１１  第１の蓄電池
１２  第２の蓄電池
１３  電池セルユニット
１４  第１の電気回路
１５  第２の電気回路
１６  接続配線
１７  エンジン
１８  オルタネータ
１９  スタータ
２０  第１の電気負荷
２１  バッテリセンサ（第１の充電状態検出手段）
２２  第２の電気負荷
２３  外部リレーユニット（外部開閉手段）
２３ａ  スイッチ部
２３ｂ  整流部
２４  内部リレー（内部開閉手段）
２５  ＥＣＵ
２６  ＢＭＵ（第２の充電状態検出手段）
２７  充電制御手段
２８  発電余裕判定手段
【図１】
2015150956.tif 000003
【図２】
2015150956.tif 000004
【図３】
2015150956.tif 000005